(57)【特許請求の範囲】
【請求項１】
原稿が載置可能な第１原稿載置部と、
前記第１原稿載置部を備え、前記第１原稿載置部に載置された前記原稿を予め定められた読取位置で前記原稿の読取面を移動させながら読み取らせるように前記読取位置へ給送可能な原稿給送部と、
前記第１原稿載置部に載置された前記原稿のサイズを検出するサイズ検出部と、
前記サイズ検出部により検出された前記原稿のサイズを示すサイズ情報を予め定められた記憶媒体に格納する格納処理部と、
前記原稿が載置可能なシート載置面を有し、前記第１原稿載置部とは別の第２原稿載置部と、
前記第２原稿載置部の前記シート載置面に載置された前記原稿の読取面に沿って移動しつつ前記読取面を走査して画像を読み取る読取処理を実行する画像読取部と、
前記第２原稿載置部の前記シート載置面を覆う閉姿勢と前記シート載置面から離間した開姿勢との間で開閉可能であり、前記シート載置面に対面する対向面と反対側に前記第１原稿載置部を有するカバー部材と、
前記カバー部材の姿勢を検知する姿勢検知部と、
前記第２原稿載置部の前記シート載置面に前記原稿が載置されたか否かを判定するために、前記格納処理部により前記記憶媒体に前記サイズ情報が格納されてから予め定められた待機時間が経過するまでの間に、前記姿勢検知部から出力される検知信号に基づいて、前記閉姿勢の前記カバー部材が前記開姿勢にされた後に前記閉姿勢に戻される第１操作が行われたか否かの判定を行う第１判定部と、
前記第１判定部により前記第１操作が行われたと判定された場合に、前記格納処理部により前記記憶媒体に格納された前記サイズ情報を、前記画像読取部による前記読取処理に用いられるサイズ情報として設定する設定部と、
を備える画像読取装置。
【請求項２】
前記第１判定部により前記第１操作が行われたと判定されなかった場合、前記格納処理部により前記記憶媒体に格納された前記サイズ情報を前記記憶媒体から消去する消去処理部を更に備える請求項１に記載の画像読取装置。
【請求項３】
前記待機時間が経過する前に前記画像読取装置に対して前記第１操作とは異なる第２操作が行われたか否かの判定を行う第２判定部を更に備え、
前記第１判定部は、前記第２判定部により前記第２操作が行われたと判定された場合、前記待機時間よりも長い時間が経過するまでの間に前記画像読取装置に対して前記第１操作が行われたか否かの判定を行う請求項１又は２に記載の画像読取装置。
【請求項４】
前記記憶媒体は、前記画像読取部による前記読取処理に用いられるサイズ情報として前記画像読取装置に入力されるサイズ情報が格納される第１記憶領域と、前記サイズ検出部により検出された前記サイズ情報が格納される第２記憶領域とを備え、
前記設定部は、前記第２記憶領域に前記サイズ情報が格納されると、このサイズ情報を前記第１記憶領域に格納されている前記サイズ情報よりも優先して、前記画像読取部による前記読取処理に用いられるサイズ情報として設定する請求項１乃至３の何れか一項に記載の画像読取装置。
【請求項５】
前記設定部により設定された前記サイズ情報に基づいて、前記第２原稿載置部に載置された前記原稿に対する前記読取処理を前記画像読取部に実行させる読取制御部を更に備える請求項１乃至４の何れか一項に記載の画像読取装置。
【請求項６】
請求項１乃至５の何れか一項に記載の画像読取装置と、
前記設定部により設定された前記サイズ情報に基づいて、前記画像読取装置により読み取られた前記画像を形成すべきサイズのシートを選択するシート選択処理部と、
前記シート選択処理部により選択された前記シートに対して画像を形成する画像形成部と、
を備える画像形成装置。
【請求項７】
原稿が載置可能な第１原稿載置部と、前記第１原稿載置部を備え、前記第１原稿載置部に載置された前記原稿を予め定められた読取位置で前記原稿の読取面を移動させながら読み取らせるように前記読取位置へ給送可能な原稿給送部と、前記原稿が載置可能なシート載置面を有し、前記第１原稿載置部とは別の第２原稿載置部と、前記第２原稿載置部の前記シート載置面に載置された前記原稿の読取面に沿って移動しつつ前記読取面を走査して画像を読み取る読取処理を実行する画像読取部と、前記第２原稿載置部の前記シート載置面を覆う閉姿勢と前記シート載置面から離間した開姿勢との間で開閉可能であり、前記シート載置面に対面する対向面と反対側に前記第１原稿載置部を有するカバー部材と、を備える画像読取装置の画像読取方法であって、
前記第１原稿載置部に載置された前記原稿のサイズを検出するサイズ検出ステップと、
前記サイズ検出ステップにより検出された前記原稿のサイズを示すサイズ情報を予め定められた記憶媒体に格納する格納ステップと、
前記カバー部材の姿勢を検知する姿勢検知ステップと、
前記第２原稿載置部の前記シート載置面に前記原稿が載置されたか否かを判定するために、前記格納ステップにより前記記憶媒体に前記サイズ情報が格納されてから予め定められた待機時間が経過するまでの間に、前記姿勢検知ステップによって検知された検知信号に基づいて、前記閉姿勢の前記カバー部材が前記開姿勢にされた後に前記閉姿勢に戻される第１操作が行われたか否かの判定を行う第１判定ステップと、
前記第１判定ステップにより前記第１操作が行われたと判定された場合に、前記格納ステップで前記記憶媒体に格納された前記サイズ情報を、前記画像読取部による前記読取処理に用いられるサイズ情報として設定する設定ステップと、
を有する画像読取方法。
【発明の詳細な説明】
【技術分野】
【０００１】
本発明は、原稿が載置される原稿載置部と、所謂ＡＤＦと称される原稿給送部とを備えた画像読取装置、前記画像読取装置を備える画像形成装置、及び、前記画像読取装置による原稿の画像の画像読取方法に関する。
【背景技術】
【０００２】
原稿を給送する所謂ＡＤＦと称される原稿給送部にセットされた原稿のサイズを検出する検出センサーを具備する画像読取装置が知られている。また、この種の画像読取装置において、ガラス板などによって形成される原稿載置部に載置される原稿のサイズを検出する検出センサーが設けられていないタイプの画像読取装置も知られている。このような画像読取装置においては、ユーザーは、前記原稿載置部に載置した原稿の画像を画像読取装置に読み取らせるに際し、その原稿のサイズを画像読取装置に知らせる必要がある。ここで、ユーザーは、操作パネルのうち複数の原稿サイズそれぞれに対応して設けられた複数の操作ボタンの中から読取対象である原稿のサイズに対応する操作ボタンを探して押圧するなどの入力操作を行うことで、原稿のサイズを画像読取装置に知らせる場合がある。なお、従来技術として、原稿のサイズを検出する検出センサーを具備していないスキャナーを備えた画像形成装置が知られている（特許文献１参照）。
【先行技術文献】
【特許文献】
【０００３】
【特許文献１】特開２００７−１８７７３５号公報
【発明の概要】
【発明が解決しようとする課題】
【０００４】
前述の画像読取装置においては、ユーザーフレンドリーの点から改良の余地がある。すなわち、表示部の表示領域の制約上、前記操作ボタンそれぞれは大きな表示領域を有しているものではなくまた互いに隣接して配置されている。そのため、読取対象である原稿のサイズに対応する操作ボタンを探して押圧する前記入力操作は面倒である。また、押し間違いなどの操作ミスが発生するおそれもある。
【０００５】
また、読取対象の原稿のサイズがどのサイズ表記のサイズに該当するのかをユーザーが認識していない場合、ユーザーは、前記操作ボタンから原稿のサイズを入力することができないという問題もある。
【０００６】
本発明の目的は、原稿載置部に載置された原稿のサイズを検出する検出センサーを備えていなくても、ユーザーが簡単な操作で原稿のサイズを確実に装置に知らせることのできる画像読取装置、画像形成装置及び画像読取方法を提供することである。
【課題を解決するための手段】
【０００７】
本発明の一の局面に係る画像読取装置は、第１原稿載置部と、原稿給送部と、サイズ検出部と、格納処理部と、第２原稿載置部と、画像読取部と、設定部とを備える。前記第１原稿載置部は、原稿が載置可能である。前記原稿給送部は、前記第１原稿載置部に載置された前記原稿を予め定められた読取位置へ給送可能である。前記サイズ検出部は、前記第１原稿載置部に載置された前記原稿のサイズを検出する。前記格納処理部は、前記サイズ検出部により検出された前記原稿のサイズを示すサイズ情報を予め定められた記憶媒体に格納する。前記第２原稿載置部は、前記原稿が載置可能である。前記画像読取部は、前記第２原稿載置部に載置された前記原稿の読取面を走査して画像を読み取る読取処理を実行する。前記設定部は、前記格納処理部により前記記憶媒体に格納された前記サイズ情報を、前記画像読取部による前記読取処理に用いられるサイズ情報として設定する。
【０００８】
本発明の一の局面に係る画像形成装置は、前記画像読取装置と、シート選択処理部と、画像形成部とを備える。前記シート選択処理部は、前記設定部により設定された前記サイズ情報に基づいて、前記画像読取装置により読み取られた前記画像を形成すべきサイズのシートを選択する。前記画像形成部は、前記シート選択処理部により選択された前記シートに対して画像を形成する。
【０００９】
本発明の一の局面に係る画像読取方法は、原稿が載置可能な第１原稿載置部と、前記第１原稿載置部に載置された前記原稿を予め定められた読取位置へ給送可能な原稿給送部と、前記原稿が載置可能な第２原稿載置部と、前記第２原稿載置部に載置された前記原稿の読取面を走査して画像を読み取る読取処理を実行可能な画像読取部とを備える画像読取装置の画像読取方法であり、第１ステップと、第２ステップと、第３ステップとを有する。前記第１ステップは、前記第１原稿載置部に載置された前記原稿のサイズを検出する。前記第２ステップは、前記第１ステップにより検出された前記原稿のサイズを示すサイズ情報を予め定められた記憶媒体に格納する。前記第３ステップは、前記第２ステップで前記記憶媒体に格納された前記サイズ情報を、前記画像読取部による前記読取処理に用いられるサイズ情報として設定する。
【発明の効果】
【００１０】
本発明によれば、原稿載置部に載置された原稿のサイズを検出する検出センサーを備えていなくても、ユーザーが簡単な操作で原稿のサイズを確実に装置に知らせることのできる画像読取装置、画像形成装置及び画像読取方法を提供することができる。
【図面の簡単な説明】
【００１１】
【図１】図１は、本発明の第１の実施形態に係る画像形成装置の構成を示す図である。
【図２】図２は、図１に示す画像形成装置におけるスキャナー部と原稿カバーの外観斜視図である。
【図３】図３は、ＡＤＦの平面図である。
【図４】図４は、画像形成装置の構成を示すブロック図である。
【図５】図５は、制御部による一連の複写処理を示すフローチャートである。
【図６】図６は、制御部による一連の複写処理を示すフローチャートである。
【図７】図７は、本発明の第１の実施形態に係る画像形成装置の変形例を示す図である。
【図８】図８は、本発明の第２の実施形態に係る画像形成装置の構成を示す図である。
【図９】図９は、制御部による複写処理の変形例を示すフローチャートである。
【発明を実施するための形態】
【００１２】
以下、適宜図面を参照して本発明の実施形態について説明する。なお、以下に説明される実施形態は本発明を具体化した一例にすぎず、本発明の技術的範囲を限定するものではない。
【００１３】
［第１の実施形態］
図１〜図４を参照して、本発明の実施形態に係る画像形成装置１の構成について説明する。なお、説明の便宜上、画像形成装置１が使用可能な設置状態（図１に示される状態）における鉛直方向を上下方向５０１と定義する。また、前記設置状態の画像形成装置１の正面を基準にして左右方向５０２を定義する。また、前記設置状態において後述の操作表示部８０が設けられた側の面を正面（前面）として前後方向５０３を定義する。
【００１４】
画像形成装置１は、プリント機能、コピー機能、ファクシミリー機能、及びスキャン機能などの各機能を備える複合機である。また、画像形成装置１は、いわゆる胴内排紙型と称される複合機である。なお、画像形成装置１は複合機に限られず、プリンターや複写機、ＦＡＸ装置などの専用機であっても、本発明は適用可能である。
【００１５】
画像形成装置１は、画像形成部２と、支持部２０と、画像読取装置３００（図４参照）と、原稿カバー５０と、操作表示部８０と、制御部１００（図４参照）とを備える。
【００１６】
画像形成部２は、シート部材に画像を形成する。画像形成部２は、後述するスキャナー部３で読み取られた画像データ、或いは外部のパーソナルコンピューター等の情報処理装置から不図示の通信Ｉ／Ｆ部を通じて受信した画像データに基づいて、シート部材に画像を形成する。
【００１７】
画像形成部２は、画像形成装置１の下部に設けられており、直方形状の筐体２Ａ（図１参照）を有しており、その筐体２Ａの内部に、給紙部４、複数の搬送ローラー６、転写部７、及び定着部８を備える。
【００１８】
給紙部４は、複数の給紙カセット４Ａ、４Ｂ、４Ｃを有する。給紙カセット４Ａ、４Ｂ、４Ｃには、サイズの異なるシート部材が収容されている。給紙ローラー５は、給紙カセット４Ａ、４Ｂ、４Ｃに収容されている前記シート部材を繰り出す。複数の搬送ローラー６は、この繰り出された前記シート部材を後述する搬出口１９へ搬送する。
【００１９】
転写部７は、感光体ドラム９と、帯電部１０と、ＬＳＵ（Laser Scanning Unit）１１と、現像部１２と、転写ローラー１３と、クリーニング部１４とを備えている。
【００２０】
転写部７においては、帯電部１０が感光体ドラム９の表面を一様の電位に帯電し、ＬＳＵ１１が、帯電後の感光体ドラム９の表面に対し、画像データに応じてレーザー光を走査して、感光体ドラム９に静電潜像を形成する。現像部１２は、前記静電潜像にトナーを付着して、前記静電潜像をトナー像に顕像化し、転写ローラー１３は、所定の転写バイアスが印加されることにより、感光体ドラム９に形成された前記トナー像を、給紙部４から給送された前記シート部材に転写する。前記トナー像が転写された前記シート部材は、搬送路１７上を搬送されて定着部８に搬送される。
【００２１】
定着部８は、加熱ローラー１５と加圧ローラー１６とのニップ部を前記シート部材が通過する際に、前記シート部材に転写されたトナー像を熱によって前記シート部材に定着させる。定着部８でトナー像が定着された前記シート部材は、搬送ローラー６により、鉛直方向へ延出された搬送路１８を搬送され、搬送路１８の終端の搬出口１９から排出される。
【００２２】
このように、本実施形態の画像形成部２は、電子写真方式の画像形成部であるが、インクジェット記録方式、或いはそれ以外の記録方式の画像形成部であることも他の実施形態として考えられる。
【００２３】
支持部２０は、画像形成部２及びスキャナー部３それぞれの上下に離間させて、画像形成部２とスキャナー部３との間に、画像形成後の前記シート部材が排出される排出空間２１を形成しつつ、画像形成部２とスキャナー部３とを連結する。
【００２４】
支持部２０は、画像形成部２の上面２４のうち、排出空間２１よりも右側の位置に設けられた右側壁部２２と、排出空間２１よりも後側の位置に設けられた背面壁部２３とを有する。スキャナー部３は、右側壁部２２及び背面壁部２３それぞれに載置された状態で右側壁部２２及び背面壁部２３に支持されている。これにより、排出空間２１の下側は画像形成部２の上面２４で区画され、排出空間２１の上側はスキャナー部３の下面２５で区画されている。そして、排出空間２１は、画像形成装置１における左側及び前側において外部に開放されている。
【００２５】
図１に示されるように、右側壁部２２は、搬入口２７と、排出口２９と、搬送路３０と、搬送ローラー対３１と、排出ローラー対３２とを備える。搬入口２７は、画像形成部２に隣接する底面２６に設けられ、画像形成部２から搬送される画像形成後の前記シート部材を受け入れる。排出口２９は、排出空間２１に臨む側壁２８の上部側に形成されており、前記シート部材が排出空間２１へ排出される。搬送路３０は、搬入口２７から排出口２９までの間に形成されており、搬入口２７側の端部に設けられた搬送ローラー対３１によって、搬入口２７に進入した前記シート部材を排出口２９側へ搬送する。そして、搬送路３０の排出口２９側の端部に設けられた排出ローラー対３２によって、搬送路３０を搬送された前記シート部材が排出口２９から排出空間２１へ向けて排出される。排出空間２１に排出された前記シート部材は、上面２４に載置される。
【００２６】
画像読取装置３００は、スキャナー部３を備える。スキャナー部３は、原稿Ｐ１の画像を読み取る画像読取処理を実行する。図１、図２に示されるように、スキャナー部３は、筐体３Ａを有する。そして、図１に示されるように、スキャナー部３は、筐体３Ａの内部に、コンタクトガラス４０、読取ユニット４１、ミラー４２、４３、光学レンズ４４及び撮像素子４５を備える。コンタクトガラス４０の上側のガラス面は、原稿Ｐ１が載置可能な原稿載置面Ｍ１であり、スキャナー部３の上面は、この原稿載置面Ｍ１を含んで構成されている。コンタクトガラス４０は、本発明の第２原稿載置部の一例である。
【００２７】
読取ユニット４１は、コンタクトガラス４０の下方に設けられている。読取ユニット４１は、ＬＥＤ光源４６及びミラー４７を備えており、ステッピングモーター等の駆動モーターを用いた移動機構（不図示）により左右方向５０２へ移動可能に構成されている。なお、前記移動機構は、一対のプーリーと、これらプーリー間に架け渡された駆動ベルトとにより構成される周知の構成を有するものである。図示しない駆動モーターから駆動力を受けることにより、前記移動機構は、読取ユニット４１を左右方向５０２へスライド移動させる。読取ユニット４１は、コンタクトガラス４０に載置された原稿Ｐ１の読取面を走査して画像を読み取る読取処理を実行する本発明の画像読取部の一例である。
【００２８】
ミラー４７は、ＬＥＤ光源４６から光が照射されたときに、原稿載置面Ｍ１に載置された原稿Ｐ１で反射した反射光をミラー４２へ向けて反射する。撮像素子４５は、ミラー４２及びミラー４３を反射した反射光を受光し、受光量（輝度の強度）に応じた電気信号（電圧）を出力する光電変換素子である。前記受光量に応じた前記電気信号は、Ａ／Ｄ変換されたのち後述する制御部１００（図４参照）へ伝送される。
【００２９】
原稿カバー５０は、スキャナー部３の上方に設けられている。原稿カバー５０は、スキャナー部３における上面後側（背面側）の端部を回動中心として、原稿載置面Ｍ１を覆う閉姿勢と、原稿載置面Ｍ１から離間して原稿載置面Ｍ１を露出させる開姿勢との間でスキャナー部３に開閉可能に支持されている。原稿カバー５０は、前記閉姿勢において、原稿載置面Ｍ１に載置された原稿Ｐ１をその下面が原稿載置面Ｍ１に沿う状態に押さえ、且つ、読取ユニット４１へ向かう外光を遮る。原稿カバー５０は、本発明のカバー部材の一例であり、原稿載置面Ｍ１は、本発明のシート載置面の一例である。
【００３０】
図４に示されるように、原稿カバー５０は、カバー開閉センサー５１を有する。また、図１〜図４に示されるように、原稿カバー５０は、ＡＤＦ（Auto Document Feeder）６０を有する。また、図１〜図３に示されるように、ＡＤＦ６０は、原稿セット部６５、排紙部６６、及び搬送ローラー６１〜６４（図１参照）を備えている。
【００３１】
カバー開閉センサー５１は、原稿カバー５０の回動支持部に設けられ、リミットスイッチなどのセンサーである。カバー開閉センサー５１は、原稿カバー５０が前記閉姿勢であるときと前記閉姿勢よりも前記開姿勢側の姿勢であるときとでＯＮ／ＯＦＦの状態が切り替わるカバー検出信号を制御部１００に出力する。なお、本実施形態では、カバー開閉センサー５１は、原稿カバー５０が前記閉姿勢のときにＯＮ信号を出力する。カバー開閉センサー５１は、本発明の姿勢検知部の一例である。
【００３２】
原稿セット部６５は、原稿カバー５０のうち原稿載置面Ｍ１と対面する対向面３０１（図１参照）と反対側の位置に設けられている。原稿セット部６５には、１又は複数枚の原稿Ｐ１が載置される原稿載置面Ｎ１（図１〜図３参照）が構成されている。原稿セット部６５は、本発明の第１原稿載置部の一例である。
【００３３】
搬送ローラー６１〜６４は、原稿セット部６５にセットされた原稿Ｐ１を１枚ずつ搬送し、コンタクトガラス４０上に定められた原稿読取位置Ｌ１を左右方向５０２の右向きへ通過するように原稿Ｐ１を給送する。ＡＤＦ６０は、本発明の原稿給送部の一例であり、原稿読取位置Ｌ１は、本発明の予め定められた読取位置の一例である。搬送ローラー６１〜６４のうち最も上流側の位置に配置された搬送ローラー６１は、原稿セット部６５にセットされた原稿Ｐ１の最上層に圧接され、原稿Ｐ１を１枚ずつ下流側、すなわち左右方向５０２における左側に繰り出す繰り出しローラーである。排紙部６６には、搬送ローラー６１〜６４により搬送された原稿Ｐ１が排出される。
【００３４】
図３に示されるように、原稿セット部６５は、原稿載置台６７、第１原稿規制板６８、第２原稿規制板６９、原稿センサー９１、及び複数のサイズセンサー９２Ａ〜９２Ｄを有する。
【００３５】
第１原稿規制板６８及び第２原稿規制板６９は、原稿載置台６７から起立し、且つ、画像形成装置１の左右方向５０２、換言すると搬送ローラー６１による繰り出し方向に沿って延設されている。第１原稿規制板６８及び第２原稿規制板６９は、互いに離間した状態で対向する。
【００３６】
第１原稿規制板６８及び第２原稿規制板６９は、不図示のラックギヤー及びピニオンギヤーによって、画像形成装置１の前後方向５０３において、互いに接近及び離反するように連動する。
【００３７】
例えば第１原稿規制板６８が第２原稿規制板６９から離間する方向に移動させる操作が行われると、その移動に連動して第２原稿規制板６９が第１原稿規制板６８から離間する方向に移動する。また、第１原稿規制板６８が第２原稿規制板６９に接近する方向に移動させる操作が行われると、その移動に連動して第２原稿規制板６９が第１原稿規制板６８に接近する方向に移動する。第２原稿規制板６９が第１原稿規制板６８から離間する方向、又は第１原稿規制板６８に接近する方向に移動する操作が行われた場合も同様である。
【００３８】
第１原稿規制板６８及び第２原稿規制板６９は、ユーザーにより原稿セット部６５に載置される原稿Ｐ１のサイズに対応する位置に配置される。これにより、第１原稿規制板６８及び第２原稿規制板６９は、原稿Ｐ１の端部に当接して原稿Ｐ１の向きを搬送ローラー６１による前記繰り出し方向に沿う向きとし、且つ、前記繰り出し方向に交差する方向における原稿Ｐ１の移動を規制する。
【００３９】
原稿センサー９１及びサイズセンサー９２Ａ〜９２Ｄは、原稿載置台６７に設けられている。原稿センサー９１は、原稿載置台６７における原稿Ｐ１の有無を検出するためのセンサーである。サイズセンサー９２Ａ〜９２Ｄは、原稿載置台６７に載置された原稿Ｐ１のサイズを検出するためのセンサーである。
【００４０】
原稿センサー９１及びサイズセンサー９２Ａ〜９２Ｄは、例えば、発光ダイオードからなる発光器と、例えばフォトトランジスタからなる受光器とを有する反射型の光学センサーである。原稿センサー９１及びサイズセンサー９２Ａ〜９２Ｄの検知領域に原稿Ｐ１が存在するとき、前記発光器から出力された光が原稿Ｐ１によって反射され、その反射光が前記受光器により受光される。前記受光器は、前記反射光を受光していない場合には、出力値が予め定められた閾値より小さい信号を生成し、前記反射光を受光すると、出力値が前記閾値を超える信号を生成する。これらの信号は、原稿センサー９１及びサイズセンサー９２Ａ〜９２Ｄの出力信号として制御部１００に出力される。
【００４１】
原稿センサー９１は、原稿載置台６７に載置される原稿Ｐ１のサイズに拘わらず、その原稿Ｐ１の存在を検出することのできる位置に配置されている。具体的に、原稿センサー９１は、搬送ローラー６１を通る前記繰り出し方向に沿う直線Ｌ２（図３参照）上の位置で、且つ、搬送ローラー６１の近傍の位置に設けられている。なお、原稿センサー９１は、原稿載置台６７に載置された原稿Ｐ１の重みによって所定の部材が変位し、その部材の変位によって不図示のスイッチがＯＮするタイプのセンサーであってもよい。
【００４２】
複数のサイズセンサー９２Ａ〜９２Ｄは、複数のサイズセンサー９２Ａ〜９２Ｄから出力される複数の出力信号に基づいて原稿Ｐ１のサイズが判別可能となるように分散配置されている。すなわち、複数のサイズセンサー９２Ａ〜９２Ｄは、互いに、左右方向５０２及び前後方向５０３のうち少なくとも一方向に異なる位置に配置されている。より具体的には、本実施形態では、複数のサイズセンサー９２Ａ〜９２Ｄのうちの一部のサイズセンサー９２Ａ，９２Ｂは、左右方向５０２において同じ位置に配置されており、且つ、前後方向５０３において異なる位置に配置されている。また、複数のサイズセンサー９２Ａ〜９２Ｄのうちの他のサイズセンサー９２Ｃ，９２Ｄは、前後方向５０３において同じ位置に配置されており、且つ、左右方向５０２において異なる位置に配置されている。具体的に、他のサイズセンサー９２Ｃ，９２Ｄは、直線Ｌ２上の異なる位置に設けられている。これにより、複数のサイズセンサー９２Ａ〜９２Ｄから出力される複数の出力信号の信号状態の組み合わせが、原稿載置台６７に載置され得る原稿Ｐ１のサイズと１対１で対応する。前記信号状態とは、前記出力信号の出力値が前記閾値より大きい状態と、前記閾値より小さい状態である。なお、前記幅方向のサイズを検出するセンサーは、前述の光学センサーに限らず、例えば、第１原稿規制板６８及び第２原稿規制板６９の前記幅方向における位置を検出するロータリーエンコーダーなども適用可能である。
【００４３】
画像形成装置１は、二通りの読取方式の読取処理が実行可能である。第１の読取方式は、コンタクトガラス４０上に載置された原稿Ｐ１の画像をスキャナー部３によって読み取る読取方式である。第２の読取方式は、原稿セット部６５に原稿Ｐ１が載置された原稿Ｐ１の画像をスキャナー部３によって読み取る読取方式である。
【００４４】
具体的に、前記第１の読取方式の読取処理においては、まず、ユーザーにより原稿Ｐ１がコンタクトガラス４０上に載置され、原稿カバー５０が閉姿勢にされる。そして、ユーザーにより、操作表示部８０を用いて画像形成装置１に画像の読取開始を指示する操作が行われる。この場合、原稿セット部６５に原稿Ｐ１は載置されず、原稿センサー９１からは原稿Ｐ１を検出した旨の信号は出力されない。
【００４５】
操作表示部８０を用いて前記画像の読取開始を指示する操作がユーザーにより行われると、前記駆動モーターが左側の予め定められた読取開始位置に位置する読取ユニット４１を左右方向５０２に沿って原稿Ｐ１のサイズに応じた移動量だけ移動させる。また、これと並行してＬＥＤ光源４６が連続して順次１ライン分の光を照射する処理が行われる。これにより、ＬＥＤ光源４６からコンタクトガラス４０へ向けて照射される光が左右方向５０２へ走査される。
【００４６】
そして、原稿Ｐ１からの反射光がミラー４７、４２、４３及び光学レンズ４４を介して撮像素子４５に導かれ、撮像素子４５の受光量に応じた前記光量データが順次画像処理部（不図示）へ伝送される。前記画像処理部は、前記光量データに対し、γ補正処理、ＲＧＢカラーバランスの調整である色補正処理、ＲＧＢデータからＣＭＹＫデータへの色変換処理等を行って原稿Ｐ１の画像情報を生成する。
【００４７】
このように、スキャナー部３は、第１の読取方式では、原稿載置面Ｍ１に載置された原稿Ｐ１の画像を読み取る。読取ユニット４１の読取終了位置は、読取対象の原稿Ｐ１のサイズに応じて異なる位置となる。
【００４８】
一方、前記第２の読取方式の読取処理においては、まず、ユーザーにより原稿カバー５０が前記閉姿勢とされ、原稿セット部６５に原稿Ｐ１が載置される。また、ユーザーにより、第１原稿規制板６８及び第２原稿規制板６９が、原稿セット部６５に載置された原稿Ｐ１のサイズに対応する位置にセットされる。
【００４９】
そして、ユーザーにより、操作表示部８０を用いて画像形成装置１に画像の読取開始を指示する操作が行われると、ＡＤＦ６０は、原稿セット部６５にセットされた一以上の原稿Ｐ１を複数の搬送ローラー６１〜６４により順次搬送する。そして、ＡＤＦ６０は、コンタクトガラス４０上に定められた原稿読取位置Ｌ１を左右方向５０２に沿って右側へ通過するように原稿Ｐ１を移動させる。読取ユニット４１は、ＡＤＦ６０による原稿Ｐ１の搬送時、原稿読取位置Ｌ１の下方に配置され、この位置でＬＥＤ光源４６からコンタクトガラス４０へ向けて光を照射する。なお、原稿Ｐ１からの反射光の経路及びこの反射光に基づく原稿Ｐ１の画像情報の生成方法については前記第１の読取方式の読取処理と同様である。
【００５０】
図４に示されるように、操作表示部８０は、表示部８１と操作部８２とを有する。表示部８１は、例えばカラー液晶ディスプレイなどを有し、操作表示部８０を操作するユーザーに対して各種の情報を表示する。操作部８２は、表示部８１に隣接配置された各種の押しボタンキー及び表示部８１の表示画面上に配置されるタッチパネルセンサーなどのうちの１つ又は複数を有し、画像形成装置１のユーザーによる各種の指示の入力のための操作を受け付ける。操作部８２は、複写動作の開始を指示するためのスタートボタン（不図示）と、読取ユニット４１よる前記読取処理に用いられるサイズ情報を設定する操作を行うためのサイズ情報設定操作部８２１とを含む。操作表示部８０は、ユーザーから画像読取処理などの各種の処理の実行指示の操作を受けると、その操作に対応する操作信号を制御部１００に出力する。
【００５１】
図４に示されるように、制御部１００は、例えばＣＰＵ、ＲＯＭ、及びＲＡＭなどを有するマイクロコンピューターである。制御部１００の前記ＲＯＭには、制御部１００の前記ＣＰＵに各種処理を実行させる為の処理プログラムが記憶されている。前記処理プログラムは、画像形成装置１の出荷時点で前記ＲＯＭに記憶されていてもよい。或いは、前記処理プログラムがＣＤ、ＤＶＤ、フラッシュメモリーなどのコンピューター読み取り可能な情報記録媒体に格納されており、前記出荷後に、前記処理プログラムが前記情報記録媒体から制御部１００の前記ＲＯＭに記憶されてもよい。
【００５２】
画像形成装置１において、制御部１００は、前記ＣＰＵを用いて前記処理プログラムに従って各種の処理を実行することにより、原稿検出処理部１０１、サイズ検出処理部１０２、格納処理部１０３、計時部１０４、第１判定部１０５、サイズ設定部１０６、読取制御部１０７、シート選択処理部１０８、画像形成制御部１０９及び消去処理部１２０として機能する。なお、制御部１００が有する機能の一部又は複数が電子回路として設けられる構成も他の実施形態として考えられる。また、制御部１００の前記ＲＡＭには、サイズ情報記憶部１１０が設けられている。サイズ情報記憶部１１０は、設定情報記憶領域１１１と、検出情報記憶領域１１２とを有する。なお、この点については後述する。設定情報記憶領域１１１は、本発明の第１記憶領域の一例であり、検出情報記憶領域１１２は、本発明の第２記憶領域の一例である。
【００５３】
原稿検出処理部１０１は、ＡＤＦ６０に設けられた前述の原稿センサー９１から出力される出力信号に基づいて、原稿載置台６７に原稿Ｐ１が載置されたことを検出する原稿検出処理を実行する。具体的に、原稿検出処理部１０１は、原稿センサー９１の前記出力信号を所定の増幅率で増幅し、その増幅値と予め定められた閾値とを比較する。そして、原稿検出処理部１０１は、前記増幅値が前記閾値より大きいときは、原稿載置台６７に原稿Ｐ１が載置されたと判定し、前記増幅値が前記閾値より小さいときは、原稿載置台６７に原稿Ｐ１が載置されていないと判定する。
【００５４】
サイズ検出処理部１０２は、ＡＤＦ６０のサイズセンサー９２Ａ〜９２Ｄそれぞれから出力される出力信号に基づいて、原稿載置台６７に載置された原稿Ｐ１のサイズを検出するサイズ検出処理を実行する。
【００５５】
サイズ検出処理部１０２は、サイズセンサー９２Ａ〜９２Ｄそれぞれの前記出力信号について、所定の増幅率で増幅し、その増幅値と予め定められた閾値とを比較する。そして、サイズ検出処理部１０２は、サイズセンサー９２Ａ〜９２Ｄから出力される出力信号それぞれについての比較結果の組み合わせに基づいて、原稿載置台６７に載置された原稿Ｐ１のサイズを検出する。サイズセンサー９２Ａ〜９２Ｄ及びサイズ検出処理部１０２により、原稿セット部６５に載置された原稿Ｐ１のサイズを検出するサイズ検出部２００が構成される。
【００５６】
格納処理部１０３は、サイズ検出部２００により検出された原稿Ｐ１のサイズを示すサイズ情報をサイズ情報記憶部１１０の検出情報記憶領域１１２に格納する。サイズ情報記憶部１１０は、本発明の予め定められた記憶媒体の一例である。
【００５７】
設定情報記憶領域１１１には、読取ユニット４１による前記読取処理に用いられるサイズ情報として、製品出荷時に予めデフォルト設定される特定のサイズのサイズ情報、又は、ユーザーにより設定される原稿Ｐ１のサイズを示すサイズ情報が格納処理部１０３により格納される。なお、設定情報記憶領域１１１に格納される前記サイズ情報には、前記サイズが設定されていない旨を示す情報も含まれる。画像形成装置１は、原稿載置面Ｍ１（コンタクトガラス４０）に載置される原稿Ｐ１のサイズを検出するセンサーを具備していない。そのため、画像形成装置１には設定情報記憶領域１１１が設けられ、画像形成装置１は、設定情報記憶領域１１１に格納されているサイズ情報に基づいて前記読取処理が可能に構成されている。
【００５８】
計時部１０４は、格納処理部１０３により検出情報記憶領域１１２に前記サイズ情報が格納されると、計時を開始する。
【００５９】
第１判定部１０５は、計時部１０４により所定時間が計時されるまでの間に、画像読取装置３００に対して第１操作が行われたか否かの判定を行う。
【００６０】
具体的に、第１判定部１０５は、前記閉姿勢の原稿カバー５０が一旦前記開姿勢とされ、その後、再び前記閉姿勢とされる開閉操作が計時部１０４により所定時間が計時されるまでの間に行われたか否かを、カバー開閉センサー５１の出力信号に基づいて判定する。すなわち、第１判定部１０５は、計時部１０４により所定時間が計時されるまでの間に、カバー開閉センサー５１の出力信号が、ＯＮ信号、ＯＦＦ信号、ＯＮ信号の順に変化したか否かを判定する。本実施形態では、前記開閉操作が行われることで、原稿載置面Ｎ１（コンタクトガラス４０）に原稿Ｐ１が載置された蓋然性が高いことに基づき、第１判定部１０５は、このような判定を行う。すなわち、第１判定部１０５は、計時部１０４により所定時間が計時されるまでの間に、ＡＤＦ６０のサイズセンサー９２Ａ〜９２Ｄによりサイズが検出された原稿Ｐ１が、原稿載置面Ｍ１（コンタクトガラス４０）に載置されたか否かを判定する。原稿カバー５０の前記開閉操作は、本発明の第１操作の一例である。
【００６１】
消去処理部１２０は、第１判定部１０５により前記開閉操作が行われたと判定されなかった場合、検出情報記憶領域１１２に格納した前記サイズ情報を検出情報記憶領域１１２から消去する。
【００６２】
サイズ設定部１０６は、格納処理部１０３により検出情報記憶領域１１２に格納された前記サイズ情報を、スキャナー部３による前記読取処理に用いられるサイズ情報として設定する。サイズ設定部１０６は、本発明の設定部の一例である。
【００６３】
読取制御部１０７は、スキャナー部３による読取処理を制御する。本実施形態では、読取制御部１０７は、サイズ設定部１０６により設定された前記サイズ情報に基づいて、コンタクトガラス４０に載置された原稿Ｐ１に対する前記読取処理をスキャナー部３に実行させることが可能である。
【００６４】
スキャナー部３、原稿カバー５０、原稿検出処理部１０１、サイズ検出処理部１０２、格納処理部１０３、計時部１０４、第１判定部１０５、サイズ設定部１０６、読取制御部１０７及びサイズ情報記憶部１１０により、画像読取装置３００が構成されている。なお、本発明の画像読取装置は、画像読取装置３００のみで構成されたスキャナー装置であってもよい。
【００６５】
シート選択処理部１０８は、サイズ設定部１０６により設定された前記サイズ情報に基づいて、画像読取装置３００により読み取られた前記画像を形成すべきサイズのシートを選択する。
【００６６】
画像形成制御部１０９は、画像形成部２による画像形成処理を制御する。画像形成制御部１０９は、シート選択処理部１０８により選択された前記シートに対し、読取制御部１０７の制御により得られた画像を形成する処理を画像形成部２に実行させる。これにより、画像形成部２は、シート選択処理部１０８により選択された前記シートに対して画像を形成する。
【００６７】
次に、図５、図６を用いて、制御部１００による一連の複写処理について説明する。以下の処理は、例えば、原稿センサー９１及び原稿検出処理部１０１により、原稿載置台６７に原稿Ｐ１が載置されたことが検出された場合に開始される。なお、図５、図６のフローチャートにおいてステップＳ５０１、Ｓ５０２、・・・は処理手順（ステップ）番号を表している。
【００６８】
＜ステップＳ５０１＞
ステップＳ５０１において、サイズ検出処理部１０２は、サイズセンサー９２Ａ〜９２Ｄの出力信号に基づいて、原稿セット部６５にセットされた原稿Ｐ１のサイズを検出する。ステップＳ５０１は、本発明の第１ステップに対応する。そして、制御部１００は、ステップＳ５０２の処理を実行する。なお、サイズ検出処理部１０２により原稿Ｐ１のサイズが検出されると、そのサイズを表示部８１に表示するなどしてユーザーに報知するようにすることも他の実施形態として考えられる。
【００６９】
＜ステップＳ５０２＞
ステップＳ５０２において、格納処理部１０３は、ステップＳ５０１においてサイズ検出部２００により検出された原稿Ｐ１のサイズを示すサイズ情報を検出情報記憶領域１１２に格納する。ステップＳ５０２は、本発明の第２ステップに対応する。そして、制御部１００は、ステップＳ５０３の処理を実行する。
【００７０】
＜ステップＳ５０３＞
ステップＳ５０３において、計時部１０４は、格納処理部１０３により検出情報記憶領域１１２に前記サイズ情報が格納されると、計時を開始する。そして、制御部１００は、ステップＳ５０４の処理を実行する。
【００７１】
＜ステップＳ５０４＞
ステップＳ５０４において、第１判定部１０５は、計時部１０４の計時時間が所定時間を計時したか否かを判定する。第１判定部１０５は、計時部１０４の計時時間が所定時間を計時していないと判定した場合（ステップＳ５０４でＮＯ）、ステップＳ５０５の処理を実行する。一方、第１判定部１０５は、計時部１０４の計時時間が所定時間を計時したと判定した場合（ステップＳ５０４でＹＥＳ）、ステップＳ５１４の処理を実行する。前記所定時間は、本発明の予め定められた待機時間の一例である。
【００７２】
＜ステップＳ５０５＞
ステップＳ５０５において、第１判定部１０５は、原稿載置面Ｎ１（コンタクトガラス４０）に原稿Ｐ１が載置されたか否かを判定する。
【００７３】
原稿載置面Ｎ１（コンタクトガラス４０）に原稿Ｐ１が載置されたと第１判定部１０５が判定すると（ステップＳ５０５でＹＥＳ）、制御部１００は、ステップＳ５０６の処理を実行する。一方、原稿載置面Ｎ１（コンタクトガラス４０）に原稿Ｐ１が載置されていないと第１判定部１０５が判定すると（ステップＳ５０５でＮＯ）、制御部１００は、ステップＳ５０６の処理をスキップしてステップＳ５０７の処理を実行する。
【００７４】
＜ステップＳ５０６＞
ステップＳ５０６において、サイズ設定部１０６は、サイズ検出フラグをＯＮに設定する。ここで、前記サイズ検出フラグとは、読取制御部１０７がスキャナー部３に原稿Ｐ１に対する前記読取処理を実行させる際に用いられるサイズ情報につき、サイズ設定部１０６により設定される設定値を保持するレジスタであり、前記読取処理の実行時に読取制御部１０７によりアクセスされる。具体的に、前記サイズ検出フラグがＯＮであることは、設定情報記憶領域１１１及び検出情報記憶領域１１２それぞれに前記サイズ情報が格納されており、且つ、スキャナー部３による前記読取処理に用いられるサイズ情報として、検出情報記憶領域１１２に格納されている前記サイズ情報が設定されていることを示す。また、前記サイズ検出フラグがＯＦＦであることは、検出情報記憶領域１１２に前記サイズ情報が格納されておらず、スキャナー部３による前記読取処理に用いられるサイズ情報として、設定情報記憶領域１１１に格納されている前記サイズ情報が設定されていることを示す。前記サイズ検出フラグの初期値はＯＦＦである。
【００７５】
したがって、本実施形態では、サイズ検出部２００により原稿Ｐ１のサイズが検出されることなく、コンタクトガラス４０に載置された原稿Ｐ１に対するスキャナー部３の前記読取処理が行われる場合、設定情報記憶領域１１１に格納されている前記サイズ情報が用いられる。一方、サイズ検出部２００により原稿Ｐ１のサイズが検出された場合には、設定情報記憶領域１１１に格納されている前記サイズ情報ではなく、その検出されたサイズを示すサイズ情報を用いてスキャナー部３による前記読取処理が行われる。すなわち、サイズ検出部２００により原稿Ｐ１のサイズが検出された場合、設定情報記憶領域１１１に格納されている前記サイズ情報よりも、サイズ検出部２００により検出された原稿Ｐ１のサイズを示すサイズ情報が優先してスキャナー部３の前記読取処理に用いられる。
【００７６】
このように、前記サイズ検出フラグのＯＮ・ＯＦＦによって、スキャナー部３による前記読取処理に、設定情報記憶領域１１１に格納されている前記サイズ情報が用いられるか、検出情報記憶領域１１２に格納されている前記サイズ情報が用いられるかが決まる。つまり、前記サイズ検出フラグがＯＮであることは、設定情報記憶領域１１１に前記サイズ情報が格納されている場合、そのサイズ情報よりも検出情報記憶領域１１２に格納された前記サイズ情報が優先して前記読取処理に用いられるサイズ情報として設定されていることを示す。
【００７７】
サイズ設定部１０６は、第１判定部１０５により原稿カバー５０に対する前記開閉操作が行われたと判定された場合、サイズ検出フラグをＯＮに設定し、検出情報記憶領域１１２に格納された前記サイズ情報を、スキャナー部３による前記読取処理に用いられるサイズ情報として設定する。ステップＳ５０６は、本発明の第３ステップに対応する。そして、制御部１００は、ステップＳ５０７の処理を実行する。
【００７８】
＜ステップＳ５０７＞
ステップＳ５０７において、読取制御部１０７は、操作部８２から複写指示を示す複写指示信号を受信したか否かを判定する。読取制御部１０７が前記複写指示信号を受信していないと判定した場合には（ステップＳ５０７でＮＯ）、制御部１００は、ステップＳ５０４の処理に戻る。一方、読取制御部１０７は、前記複写指示信号を受信したと判定した場合には（ステップＳ５０７でＹＥＳ）、ステップＳ５０８の処理を実行する。
【００７９】
＜ステップＳ５１４＞
ステップＳ５０４において第１判定部１０５が計時部１０４の計時時間が所定時間を計時したと判定した場合（ステップＳ５０４でＹＥＳ）、ステップＳ５１４において、消去処理部１２０は、ステップＳ５０２で検出情報記憶領域１１２に格納した前記サイズ情報を検出情報記憶領域１１２から消去する。そして、制御部１００は、ステップＳ５１５の処理を実行する。
【００８０】
＜ステップＳ５１５＞
ステップＳ５１５において、サイズ設定部１０６は、前記サイズ検出フラグをＯＦＦに設定する。すなわち、スキャナー部３による前記読取処理に用いられるサイズ情報として、設定情報記憶領域１１１に格納されている前記サイズ情報がサイズ設定部１０６により設定される。そのため、この状態（前記サイズ検出フラグがＯＦＦの状態）で読取制御部１０７が前記複写指示信号を受信した場合、読取制御部１０７は、設定情報記憶領域１１１に格納されている前記サイズ情報を用いて、スキャナー部３に読取処理を実行させる。制御部１００は、ステップＳ５１５の処理の後、一連の複写処理を終了する。
【００８１】
＜ステップＳ５０８＞
ステップＳ５０８において、読取制御部１０７は、前記サイズ検出フラグがＯＮに設定されているか否かを判定する。すなわち、読取制御部１０７は、スキャナー部３による前記読取処理に用いられるサイズ情報として、検出情報記憶領域１１２に格納されている前記サイズ情報が優先的に設定されているか否かを判定する。読取制御部１０７は、前記サイズ検出フラグがＯＮに設定されていると判定した場合（ステップＳ５０８でＹＥＳ）、ステップＳ５０９の処理を実行する。一方、前記サイズ検出フラグがＯＮに設定されていないと読取制御部１０７が判定した場合（ステップＳ５０８でＮＯ）、制御部１００は、ステップＳ５１６の処理を実行する。
【００８２】
＜ステップＳ５０９＞
ステップＳ５０９において、読取制御部１０７は、前記第１の読取方式による読取処理をスキャナー部３に実行開始させる。ここで、読取ユニット４１は、前記サイズ検出フラグがＯＮに設定されているため、検出情報記憶領域１１２に格納されている前記サイズ情報が示す原稿Ｐ１のサイズに応じた位置まで移動される。そして、制御部１００は、ステップＳ５１０の処理を実行する。
【００８３】
＜ステップＳ５１０＞
ステップＳ５１０において、シート選択処理部１０８は、サイズ設定部１０６により設定された前記サイズ情報に基づいて、画像形成部２により画像を形成すべきサイズのシートを選択し、画像形成制御部１０９は、画像形成部２に画像形成処理を実行開始させる。
【００８４】
＜ステップＳ５１１＞
ステップＳ５１１において、格納処理部１０３は、計時部１０４の計時時間が所定時間を計時したか否かを判定する。格納処理部１０３は、計時部１０４の計時時間が所定時間を計時していないと判定した場合（ステップＳ５１１でＮＯ）、再度ステップＳ５１１の処理を実行する。一方、格納処理部１０３は、計時部１０４の計時時間が所定時間を計時したと判定した場合（ステップＳ５１１でＹＥＳ）、ステップＳ５１２の処理を実行する。
【００８５】
＜ステップＳ５１２＞
ステップＳ５１２において、消去処理部１２０は、ステップＳ５０２で検出情報記憶領域１１２に格納した前記サイズ情報を検出情報記憶領域１１２から消去する。そして、制御部１００は、ステップＳ５１３の処理を実行する。
【００８６】
なお、ステップＳ５１２、Ｓ５１４において、消去処理部１２０が前記サイズ情報を検出情報記憶領域１１２から消去することは必ずしも必要ではない。このサイズ情報が読取時の原稿のサイズのサイズ情報として利用されないように前記サイズ情報を処理することも他の実施形態として考えられる。
【００８７】
＜ステップＳ５１３＞
ステップＳ５１３において、サイズ設定部１０６は、前記サイズ検出フラグをＯＦＦに設定する。そして、制御部１００は、処理を終了する。
【００８８】
＜ステップＳ５１６＞
ステップＳ５１６において、読取制御部１０７は、前記第２の読取方式による読取処理をスキャナー部３に実行開始させる。そして、制御部１００は、ステップＳ５１０の処理を実行する。なお、この場合、コンタクトガラス４０に原稿Ｐ１が載置されていない可能性が高い。そこで、前記読取処理を開始する前にその旨を報知するメッセージを出力したり、或いは、前記読取処理を中止し、前記読取処理を中止した旨のエラーメッセージを出力したりする構成も他の実施形態として考えられる。
【００８９】
以上のように、画像形成装置１では、ＡＤＦ６０のサイズセンサー９２Ａ〜９２Ｄによって検出された原稿Ｐ１のサイズを示すサイズ情報が、その後に行われる前記第１の読取方式での読取処理に用いられるサイズ情報として設定される。
【００９０】
これにより、ユーザーが読取対象である原稿Ｐ１のサイズに対応する操作ボタンを探して押圧する前記入力操作が不要となる。また、押し間違いなどの操作ミスが発生することもなくなる。さらに、サイズ表記がどのサイズを示しているのか、読取対象の原稿Ｐ１のサイズがどのサイズ表記のサイズに該当するのかが判らないユーザーでも、簡単な操作で原稿Ｐ１のサイズを確実に画像形成装置１に知らせることができる。
【００９１】
このように、画像形成装置１は、ユーザーが簡単な操作で原稿Ｐ１のサイズを確実に画像形成装置１に知らせることができるという利点を有する。
【００９２】
前記実施形態では、サイズ設定部１０６は、第１判定部１０５により原稿カバー５０の前記開閉操作が行われたと判定された場合に、検出情報記憶領域１１２に格納された前記サイズ情報を、スキャナー部３による前記読取処理に用いられるサイズ情報として設定する。ただし、操作部８２の所定のボタン或いはキーを用いて前記複写動作の開始を指示する操作が行われた場合に、検出情報記憶領域１１２に格納された前記サイズ情報を、スキャナー部３による前記読取処理に用いられるサイズ情報として設定することも考えられる。この場合、前記所定のボタン或いはキーの操作が、本発明の第１操作の一例である。
【００９３】
また、図７に示されるように、画像読取装置３００は、前記所定時間が経過する前に画像読取装置３００に対して操作部８２の所定のボタン或いはキーの操作が行われたか否かの判定を行う第２判定部１２１を更に備える。そして、第１判定部１０５は、第２判定部１２１により操作部８２の所定のボタン或いはキーの操作が行われたと判定された場合、前記所定時間よりも長い時間が経過するまでの間に画像読取装置３００に対して前記第１操作が行われたか否かの判定を行う構成も適用可能である。操作部８２の所定のボタン或いはキーの操作は、本発明の第２操作の一例である。
【００９４】
例えば、ステップＳ５０７において、読取制御部１０７が前記複写指示信号を受信していないと判定した場合（ステップＳ５０７でＮＯ）、第２判定部１２１は、前記所定のボタン等の操作が行われたことを示す操作信号が操作部８２から出力されたか否かを判定する。そして、第２判定部１２１が前記操作信号を操作部８２から受信していないと判定した場合には、制御部１００は、そのままステップＳ５０４に戻る。一方、第２判定部１２１が前記操作信号を操作部８２から受信したと判定した場合には、第１判定部１０５は、前記所定時間よりも長い時間に基づいてステップＳ５０４の処理を実行する。
【００９５】
なお、第１判定部１０５によって前記操作信号が操作部８２から出力されたか否かを判定する処理を実行するタイミングは、読取制御部１０７により前記複写指示信号を受信していないと判定された場合（ステップＳ５０７でＮＯ）に限られない。ステップＳ５０３の処理後からステップＳ５０７の処理が実行するまでの間のいずれかのタイミングでもよい。
【００９６】
また、前記所定のボタン或いはキーの操作回数に比例して前記所定時間が延長される形態も考えられる。これにより、ユーザーがＡＤＦ６０を用いて原稿Ｐ１のサイズを画像形成装置１に知らせてから複写動作を画像形成装置１に行わせる場合の利便性を向上させることができる。
【００９７】
［第２の実施形態］
前記第１の実施形態では、サイズ検出処理部１０２により検出された原稿Ｐ１のサイズを示す前記サイズ情報と、デフォルト設定又はユーザー設定された原稿Ｐ１のサイズを示すサイズ情報とが、前記ＲＡＭ（サイズ情報記憶部１１０）の異なる領域に格納される。前記異なる領域とは、設定情報記憶領域１１１及び検出情報記憶領域１１２である。
【００９８】
これに対し、第２の実施形態における画像形成装置１は、図８に示されるように、前記両サイズ情報が格納される記憶領域として共通の記憶領域（サイズ情報記憶領域１１３）が用いられる。これ以外の構成については、第１の実施形態と同様であるため、第１の実施形態と異なる点についてのみ説明する。
【００９９】
図９を用いて、制御部１００による一連の複写処理について説明する。以下の処理は、例えば、原稿センサー９１及び原稿検出処理部１０１により、原稿載置台６７に原稿Ｐ１が載置されたことが検出された場合に開始される。
【０１００】
＜ステップＳ８０１＞
ステップＳ５０１でサイズ検出処理部１０２により原稿Ｐ１のサイズが検出されると、ステップＳ８０１において、格納処理部１０３は、そのサイズ情報が、サイズ情報記憶領域１１３に既に格納されているサイズ情報と一致しているか否かを判定する。格納処理部１０３は、検出されたサイズを示す前記サイズ情報がサイズ情報記憶領域１１３に既に格納されており、そのサイズ情報とサイズ検出処理部１０２により検出されたサイズのサイズ情報とが一致していないと判定した場合（ステップＳ８０１でＮＯ）、ステップＳ８０２の処理を実行する。一方、格納処理部１０３は、検出されたサイズを示す前記サイズ情報がサイズ情報記憶領域１１３に格納されているサイズ情報と一致していると判定した場合（ステップＳ８０１でＹＥＳ）、ステップＳ８０２の処理をスキップしてステップＳ８０３の処理を実行する。
【０１０１】
＜ステップＳ８０２＞
ステップＳ８０２において、格納処理部１０３は、サイズ情報記憶領域１１３に既に格納されている前記サイズ情報を前記ＲＡＭの他の記憶領域に移す。そして、格納処理部１０３は、ステップＳ８０３の処理を実行する。
【０１０２】
＜ステップＳ８０３＞
ステップＳ８０３において、格納処理部１０３は、サイズ検出処理部１０２により検出された原稿Ｐ１のサイズのサイズ情報をサイズ情報記憶領域１１３に格納する。そして、制御部１００は、ステップＳ５０３の処理を実行する。
【０１０３】
以降、制御部１００は、第１の実施形態と同様、ステップＳ５０４〜ステップＳ５１６の処理を実行する。ただし、ステップＳ５１２及びステップＳ５１４においては、格納処理部１０３は、サイズ情報記憶領域１１３に格納されている前記サイズ情報を消去して、前記他の記憶領域に移していた前記サイズ情報をサイズ情報記憶領域１１３に戻す処理を実行する。これにより、サイズ検出処理部１０２により検出された原稿Ｐ１のサイズを示すサイズ情報が、スキャナー部３による読取処理に用いられるサイズ情報として一時的に設定される。
【０１０４】
以上、本発明の好ましい実施形態について説明したが、本発明に係る画像読取装置は、原稿セット部６５を一例とする第１原稿載置部、ＡＤＦ６０を一例とする原稿給送部、サイズセンサー９２Ａ〜９２Ｄ及びサイズ検出処理部１０２で構成されるサイズ検出部２００、格納処理部１０３、コンタクトガラス４０を一例とする第２原稿載置部、読取ユニット４１を一例とする画像読取部、及びサイズ設定部１０６を必須の構成要件とするものであり、それ以外の構成については適宜適用可能である。
【符号の説明】
【０１０５】
１：画像形成装置
２：画像形成部
３：スキャナー部
４０：コンタクトガラス
５０：原稿カバー
５１：カバー開閉センサー
６０：ＡＤＦ
６５：原稿セット部
８０：操作表示部
８２：操作部
９２：サイズセンサー
１００：制御部
１０１：原稿検出処理部
１０２：サイズ検出処理部
１０３：格納処理部
１０４：計時部
１０５：第１判定部
１０６：サイズ設定部
１０７：読取制御部
１０８：シート選択処理部
１０９：画像形成制御部
１１０：サイズ情報記憶部
１１１：設定情報記憶領域
１１２：検出情報記憶領域
１１３：サイズ情報記憶領域
１２０：消去処理部
１２１：第２判定部
２００：サイズ検出部
３００：画像読取装置
【図１】
0006354638.tif 000002
【図２】
0006354638.tif 000003
【図３】
0006354638.tif 000004
【図４】
0006354638.tif 000005
【図５】
0006354638.tif 000006
【図６】
0006354638.tif 000007
【図７】
0006354638.tif 000008
【図８】
0006354638.tif 000009
【図９】
0006354638.tif 000010